(57)【要約】  原スキャン画像と原スキャン画像から導かれる強調スキャン画像とは、原画像および強調スキャン画像間の比較を簡易化するように並べて、あるいは交互に表示される。ユーザは、原画像および強調スキャン画像を見ながら強調画像の強調パラメータを変更することと、強調画像上の効果を観察し、自身の原画像の解析と比較しながら、画像に対して最も適切な設定にパラメータを調整することができる。調整されたパラメータは、より正確な解析を提供するように、原画像の他の部分にも適用することができる。
2008512161.tif 000002
【特許請求の範囲】
【請求項１】
ａ）原スキャン画像中の異状を示す１又は複数の特徴を強調しており、原スキャン画像の少なくとも１つの他の特徴を暗くした強調画像を生成するために原スキャン画像を処理する(S2)こと
を含む、コンピュータ断層撮影(CT)スキャン画像を表示する、コンピュータで実行される方法において、
ｂ）両者の視覚的な比較が可能になるように原スキャン画像及び強調スキャン画像を表示する(S3)こと
を含むことを特徴とする方法。
【請求項２】
原スキャン画像(10)及び強調スキャン画像(12)を同時に表示することを特徴とする請求項１の方法。
【請求項３】
原スキャン画像及び強調スキャン画像を交互に表示することを特徴とする請求項１の方法。
【請求項４】
表示をユーザ入力に応じて原スキャン画像及び強調スキャン画像間で交互に入れ替えることを特徴とする請求項３の方法。
【請求項５】
原スキャン画像及び強調スキャン画像をほぼ同じ位置で交互に表示することを特徴とする請求項３又は４の方法。
【請求項６】
原スキャン画像の表示画像(10)及び強調スキャン画像の表示画像(12)をユーザ入力(S4)に応じて修正する(S5)ことを含むことを特徴とする請求項１乃至５のいずれか１つの方法。
【請求項７】
原スキャン画像の表示画像(10)は原スキャン画像のスライス画像であり、
強調スキャン画像の表示画像(12)は対応する強調スキャン画像のスライス画像であり、
原スキャン画像の表示スライス画像及び対応する強調スキャン画像のスライス画像をユーザ入力に応じて修正することを特徴とする請求項６の方法。
【請求項８】
前記処理するステップ(S2)を１つ又は複数のユーザ定義パラメータに従って実行し、
前記１つ又は複数のパラメータを修正するためのユーザ入力を受付けることと、
修正した前記１つ又は複数のパラメータを用いて、処理するステップ及び表示するステップを実行することと
を含むことを特徴とする請求項１乃至７のいずれか１つの方法。
【請求項９】
前記処理するステップは複数のフィルタのうち１つを選択して実行し、
前記フィルタのうち１つを選択するためのユーザ入力を受付けることと、
選択したフィルタを用いて、処理するステップ及び表示するステップを実行することと
を含むことを特徴とする請求項１乃至８のいずれか１つの方法。
【請求項１０】
原スキャン画像は肺のスキャン画像であり、強調スキャン画像内の球状物体を強調するために原スキャン画像を処理する(S2)ことを特徴とする請求項１乃至９のいずれか１つの方法。
【請求項１１】
原スキャン画像が肺のスキャン画像であり、強調スキャン画像内のエッジを強調するために原スキャン画像を処理する(S2)ことを特徴とする請求項１乃至１０のいずれか１つの方法。
【請求項１２】
原スキャン画像が大腸のスキャン画像であり、強調スキャン画像の大腸壁から隆起した球状物体を強調するために原スキャン画像を処理する(S2)ことを特徴とする請求項１乃至９のいずれか１つの方法。
【請求項１３】
請求項１乃至１２のいずれか１つの方法を実行すべく構成したコンピュータプログラム。
【請求項１４】
キャリアに記録されており、請求項１３のコンピュータプログラムを備えるコンピュータプログラム製品。
【請求項１５】
ａ）原スキャン画像の異状を示す１つ又は複数の特徴を強調しており、原スキャン画像の少なくとも１つの他の特徴を暗くした強調画像を生成するために原スキャン画像を処理すべく構成した手段と、
ｂ）両者の視覚的な比較が可能になるように原スキャン画像及び強調スキャン画像を表示すべく構成した手段と
を備えるコンピュータ断層撮影(CT)スキャン画像を表示する装置(8)。
【発明の詳細な説明】
【技術分野】
【０００１】
本発明は、ＣＴスキャン解析用ユーザインタフェース、特に、潜在的な病変またはその他の異状を目立たせるように強調したコンピュータ断層撮影（ＣＴ）スキャン画像を表示するユーザインタフェースに関する。
【背景技術】
【０００２】
ＣＴ画像の従来の解析では、 放射線科医は、異状を特定し、それと正常の構造とを区別する専門知識を用いて、ＣＴスキャンの各スライスを視覚的に検査する。そのタスクは、コンピュータにスキャン画像を保管し、ユーザがスライス間を迅速に移動し様々な方法で構造を視覚化することのできるユーザインタフェースを設けることによって、より簡単に実行することができる。しかしながら、プロセスには時間がかかり、異状を見落とすことがないように十分な注意を払わねばならない。
【０００３】
放射線科医の作業の一部または全部を置き換えるため、コンピュータ援用検出（ＣＡＤ）ソフトウェアは、スキャン画像を解析し、潜在的な病変を検出するように設計されている。検出は放射線科医との対話で自己自動的に、あるいは解析される画像の選択以上の対話なしで自動的に行うことができる。たとえば、出願人のＭｅｄｉｃＨｅａｒｔ（登録商標）、ＭｅｄｉｃＬｕｎｇ（登録商標）、ＭｅｃｉｄＣｏｌｏｎ（登録商標）診断ソフトウェアはそれぞれ、心臓、肺、大腸のＣＴスキャンを半自動的に診断する。
【特許文献１】国際公開第０３／０７７２０３号パンフレット
【特許文献２】米国特許第６０５８３２２号明細書
【発明の開示】
【発明が解決しようとする課題】
【０００４】
実際には、ＣＡＤは安全措置として放射線科医のチェックを受けなければならない。ソフトウェアが「第１のリーダ」として使用される場合、放射線科医はソフトウェアが生成した結果を確認するだけで、原ＣＴスキャンを解析しない。放射線科医が結果に基づき重要な判断を医学的に下すことができるため、「第１のリーダ」として有効であるためには、ソフトウェアは高い感度（すなわち、見落とされる病変の割合が低い）と高い特定性（すなわち、誤った有病診断の割合が低い）の両方を有していなければならない。「第１のリーダ」は放射線科医の時間を節約する最大の可能性を有するが、高感度と高特定性の両方を実現するのは大きな課題である。
【０００５】
もしくは、ソフトウェアは「第２のリーダ」としても使用することができ、その場合、放射線科医は完全に原画像に基づき予備的な診断を行った後、見逃した病変のチェックのためにソフトウェアを動作させる。「第２のリーダ」として使用される場合、ソフトウェアは実際には時間を節約しないが、より適切な診断を下すよう放射線科医を支援する。ソフトウェアは支援を受けない放射線科医よりも正確な判断を下す結果を導く限り、特に高い感度または特定性を有する必要はない。このように使用されるとき、ソフトウェアはワープロ用のスペルまたは文法チェッカーと類似しており、ユーザの行為を置き換えるのではなく、見落としにユーザの注意を引くだけである。
【０００６】
「第１のリーダ」ソフトウェアほど正確である必要がなく、「第２のリーダ」ソフトウェアよりも時間を節約する、解析ＣＴスキャン用のユーザインタフェースを作成することが望ましい。
【０００７】
特許文献１は、異なるスキャンからの対応領域を並んで表示することのできるユーザインタフェースを開示している。
【０００８】
別の問題は、多くのＣＡＤアルゴリズムが、検出のために所定のパラメータ範囲のセットに依存していることである。たとえば、「超高速コンピュータ断層撮影を用いる冠動脈石灰化の数量化」，Ａｇａｔｓｔｏｎ  ＡＳ，Ｊａｎｏｗｉｔｚ  ＷＲ，Ｈｉｌｄｎｅｒ  ＦＪ他，Ｊ  Ａｍ  Ｃｏｌｌ  Ｃａｒｄｉｏｌ  １９９０  １５：８２７−８３２で最初に説明されたＡｇａｔｓｔｏｎ法は、１３０ハウンズフィールド値（ＨＵ）の閾値をＣＴ画像に適用し、該閾値を越える全画素をカルシウムを含むものとして特定する。次に、閾値を越える画素数に石灰化内の最高強度に基づく加重値を乗算した数値に基づいて石灰化の重大度を評価するために、採点システムが使用される。最高強度が１３０乃至２００ＨＵの場合、加重値は１であり、２００乃至３００ＨＵの場合、加重値は２であり、３００ＨＵを超える場合、加重値は３である。閾値と加重値は、患者の冠動脈スキャンとその後の結果に関する実地研究に基づく。しかし、このパラメータ範囲がもっとも正確な結果をもたらすかどうかについては議論が継続中である。異なるスキャン画像にとっては、異なる範囲が適切かもしれない。
【０００９】
特許文献２は、ソフトウェアが検出された微小石灰化を表示し、その後ユーザが微小石灰化を追加または削除できる双方向ユーザ修正機能を開示している。したがって、そのソフトウェアは、悪性疾患の推定可能性を修正する。
【課題を解決するための手段】
【００１０】
発明の一態様によると、原スキャン画像を表示することと原スキャン画像から導き出した強調スキャン画像を表示することとを含む、ＣＴスキャン画像の表示方法が提案される。好ましくは、原画像および強調スキャン画像は両者間の比較を簡易化するため、寸法や縮尺などの類似の画像特性をもって表示される。強調画像は、原画像におけるユーザの病変または異状を特定するように強調させることができる。
【００１１】
一実施形態では、原画像および強調スキャン画像が同時に表示される。別の実施形態では、原画像および強調スキャン画像が同様の寸法、縮尺、および位置で、交代に表示される。原画像および強調スキャン画像が同じ表示装置で表示されることが好ましい。
【００１２】
こうした構成の利点は、強調画像が原画像の特徴を曖昧にすることなく、原画像を強調画像に対して視覚的にチェックできることである。強調画像を第１または第２のリーダとして使用する代わりに、強調画像は、強調画像を補助機能として使用しつつ原画像を調査するユーザにとって共同リーダの役割を果たす。
【００１３】
一実施形態では、ユーザは、原画像および強調スキャン画像を見ながら強調画像の強調パラメータを変更することができる。このようにして、ユーザは、強調画像上の効果を観察し、自身の原画像の解析と比較しながら、画像に対して最も適切な設定にパラメータを調整することができる。調整されたパラメータは、より正確な解析を提供するように、原画像の他の部分にも適用することができる。
【発明を実施するための最良の形態】
【００１４】
添付の図面を参照し、本発明の具体的な実施形態を以下に示す。
【００１５】
スキャン画像
ＣＴ画像は、ＣＴスキャナを用いて人間または動物の患者から得られる１つまたは複数のスライスを含む。各スライスは、スキャンされた領域のＸ線吸収の二次元デジタル階調画像である。スライスの特性は、使用されるＣＴスキャナに左右される。たとえば、高解像度マルチスライスＣＴスキャナは、ＸおよびＹ方向に（すなわち、スライス面上に）０．５乃至０．６ｍｍ／画素の画像を生成することができる。各画素は３２ビットの階調解像度を有することができる。各画素の強度値は、通常ハウンズフィールド値（ＨＵ）で表される。連続するスライスは、Ｚ方向（すなわち、スキャン分離軸）に沿って一定間隔、たとえば０．７５乃至２．５ｍｍの間隔で分離させることができる。したがって、スキャン画像は、スキャンされたスライスの面積と数に応じた全体寸法を有する二次元（２Ｄ）または三次元（３Ｄ）階調画像であってよい。
本発明は、特定のスキャン手法に限定されず、電子ビームコンピュータ断層撮影（ＥＢＣＴ）、マルチデテクタまたは渦巻状スキャン、あるいはＸ線吸収を表す出力２Ｄまたは３Ｄ画像として生成する手法にも適用可能である。
【００１６】
コンピュータシステム
図１に示されるように、スキャン画像はスキャナ２からのスキャンデータを受け取り、スキャン画像を構成するコンピュータ４によって作成される。スキャン画像は、固定または取り外し可能ディスクなどの記憶媒体６に記憶される電子ファイルまたはファイルシリーズとして保存される。スキャン画像は、ＤＩＲＣＯＭ３．０などの標準フォーマットで保存することができる。スキャン画像はコンピュータ４によって処理可能である、あるいは、スキャン画像は後述するように画像を処理し表示するソフトウェアを実行する別のコンピュータ８に転送可能である。ソフトウェアは取り外し可能ディスクなどのキャリア上に保管する、あるいはネットワーク上でダウンロードすることができる。
【００１７】
ユーザインタフェースフローチャート
本発明の実施形態でソフトウェアにより実行される、ユーザインタフェースの動作方法のフローチャートを図２に示す。原スキャン画像は入力として提供され（Ｓ１）、強調スキャン画像を提供するように処理される（Ｓ２）。原スキャン画像および強調スキャン画像は、強調のために使用されるパラメータ値の表示と共に、並んでまたは交互に表示される（Ｓ３）。パラメータ値の調整のためにユーザ入力を受付ければ（Ｓ４）、パラメータ値が調整され（Ｓ５）、調整されたパラメータを使用して強調スキャン画像が再び生成される（Ｓ２）。
【００１８】
原画像および強調スキャン画像は、同じ位置、寸法、および縮尺で並べて表示する、あるいは交互に表示することができる。たとえば、画像の強調は交互に切り換えることができる。原画像と強調スキャン画像間の切換は、ユーザが特定のキーを押す、あるいは画面上のボタンをクリックするたびに行うことができる。
【００１９】
肺スキャンの実施形態
図３は、肺模型（すなわち、検査と更正のために使用される、肺と近似し、既知の特性を有する対象を含むモデル）のスキャンの二次元スライスを表示する、第１の実施形態のユーザインタフェースのスクリーンショット図を示す。
【００２０】
ユーザインタフェースは、原画像パネル１０および強調画像パネル１２を含むウィンドウに示される。原画像パネル１０はスキャン画像のスライスを表示する。第１のツールバー１８は、原画像パネル１０の底面に配置され、たとえば、ズーム、パン、回転などによりユーザに原画像の操作を可能にするボタンを含む。原画像パネル１０は、ユーザにスライス間での前後移動を可能にする第１のスクロールバー２２も含む。
【００２１】
強調画像パネル１２は、原画像の特徴を強調するように１つまたは複数のフィルタによって処理された原画像のバージョンを表示する。この例では、球度強調フィルタが適用され、球度フィルタを満足させる対象が円で囲まれる。強調画像パネル１２内の第２のツールバー２０は、たとえば、ズーム、パン、回転などによりユーザに強調画像の操作を可能にするボタンを含む。強調画像パネル１２は、ユーザがスライス間で前後に移動可能にする第２のスクロールバー２４も含む。
【００２２】
第１および第２のツールバー１８、２０は、いずれかのツールバーによって実行される画像操作が原画像および強調スキャン画像の両方に対応する、または同等の効果をもたらすようにリンクさせることができる。たとえば、第１のツールバー１８を用いて原スキャン画像を拡大すると、強調画像パネル１２において強調スキャン画像が同量拡大される。別の例では、第２のツールバー２０を用いて強調スキャン画像を拡大すると、原画像パネル１０において原スキャン画像が同量拡大される。このようにして、原画像および強調スキャン画像の同一の映像間での並列的な比較が可能になる。
【００２３】
第１および第２のスクロールバー２２、２４は、いずれかのスクロールバーの移動が原画像および強調スキャン画像の両方に対応する、または同等の効果をもたらすようにリンクさせることができる。これにより、ユーザは、原画像および強調スキャン画像を比較しながらＺ方向に前後移動することができる。
【００２４】
ユーザインタフェースウィンドウは、ユーザが選択可能な各種オプションを表示する右手ツールバー１４を含む。「表示」オプションによって、ユーザは１、２、４枚など何枚のパネルを表示するか、あるいは、どのパネルを別個のウィンドウとして表示するかを制御することができる。この例では、スキャン画像を表示するのに２つのみのパネルが使用され、第３および第４のパネルにはデータ表示機能と３Ｄ結節表示機能がそれぞれ割り当てられている。
【００２５】
フィルタの種類とパラメータは、図４により詳細に示されるフィルタウィンドウ１６を用いてユーザによって制御される。この例では、ユーザは、該当タブを選択することにより球度強調フィルタ、エッジフィルタ、標準ノイズ除去フィルタ、強調ノイズ除去フィルタのうち１つを選択できる。その後、ユーザはフィルタのパラメータ値を設定し、フィルタを適用するためのボタンをクリックして強調画像を更新する。
【００２６】
球度強調フィルタ
この例では、球度強調フィルタタブは、フィルタを通過する対象の最小球度レベルをユーザが設定できる球度スライダ２６と、フィルタを通過する対象内の最小および最大ピーク強度をユーザが選択できる最小強度スライダ２８ａおよび最大強度スライダ２８ｂと、フィルタを通過する対象の複数の寸法範囲からユーザが１つを選択できる結節寸法セレクタ３０とを含む。ユーザは、複数の微小結節を検出する第１のオプション３２と、円柱形状を除去する第２のオプション３４とを選択できる。後者は、血管などの円柱状構造内にある球形状の強調を回避する性能をユーザに提供する。
【００２７】
球度強調フィルタは、スキャン画像内の各体素（ボクセル）を解析し、同様の強度の周囲ボクセルと比較して、等しい強度の三次元曲率を導き出す。ユーザが選択したレベルを超える球度を有する面は、球状対称に属すると特定される。次に、それらの面に含まれるボクセルは、同一の対象の部分として共にグループ化される。いったん上記対象がすべて特定されれば、ユーザによって選択される最小値および最大値間の最大強度と、ユーザによって選択される範囲内の寸法とを有する対象がフィルタにより強調される。
【００２８】
フィルタを通過する球状対象が複数の連続するスライスを占める場合、対象の最大面積を占めるスライス上でのみ対象を強調することができる。
【００２９】
エッジ強調フィルタ
図５は、エッジ強調フィルタが選択および適用されて、別のスキャン画像に適用される場合の実施形態を示す。エッジ強調は肺実質領域のみに適用され、網状影のような間質性疾患の兆候を特定するのに有利である。
【００３０】
エッジ強調フィルタが選択されるとき、コントラスト設定ウィンドウ３６が表示されて、ユーザはエッジ強調フィルタのコントラストパラメータを変更することができる。
【００３１】
標準ノイズ除去フィルタ
図６は、標準ノイズ除去フィルタが選択されたときのフィルタウィンドウ１６を示す。フィルタウィンドウは、ユーザがノイズ平滑化レベルを変更可能なぶれスライダ３８を表示する。このフィルタは、背景ノイズの増大を犠牲にして、放射線量の低減が実現される、低線量マルチスライス螺旋ＣＴ（ＭＳＣＴ）研究を解釈するために有効である。標準ノイズ除去フィルタは、背景ノイズをユーザの設定する程度まで平滑化する。
【００３２】
高度ノイズ除去フィルタ
図７は、高度ノイズ除去フィルタが選択されたときのフィルタウィンドウ１６を示す。フィルタウィンドウ１６は、高度ノイズ低減法により使用されるウィンドウの寸法を設定するウィンドウ寸法セレクタ４０を表示する。この手法を使用すると、標準的な手法よりもぶれは明らかに低減するが、時間がかかる。
【００３３】
大腸スキャンの実施形態
図８は、大腸のスキャン画像で使用するための、第２の実施形態のユーザインタフェースのスクリーン表示を示す。本実施形態は、利用可能なフィルタの種類の点で肺スキャンの実施形態と異なる。単一ポリープ強調フィルタが、肺スキャン実施形態で使用されるフィルタの選択肢の他に利用可能である。しかし、肺スキャン実施形態で利用可能であるいかなるフィルタも、第２の実施形態で使用することができる。類似の部分には同じ参照符号を付し、重複する説明は行わない。
【００３４】
フィルタウィンドウ１６は、球状要素を有する隆起した対象を強調するが、細長い襞になりそうな対象は強調しないポリープ強調フィルタ用の設定を表示する。フィルタウィンドウは、ユーザが強調される対象の平坦度を選択できる、最小および最大平坦度スライダ３８ａ、３８ｂを含む。
【００３５】
この例では、第３および第４のパネルが、第２の原画像パネル４０および第２の強調画像パネル４２を備え、スキャン画像の仰向けの軸方向の映像を表示する一方、原画像パネル１０と強調画像パネル１２はうつ伏せの軸方向の映像を表示する。第２の原画像パネル４０および第２の強調画像パネル４２表示の操作は、１つのパネル内で行われる変更が別のパネルに反響するようにリンクされる。
【００３６】
単一映像の実施形態
上述の並列的な映像の代替として、ユーザは１つのみのスキャン画像の映像がユーザインタフェースウィンドウに表示される表示モードを選択することができる。フィルタウィンドウによって選択される強調は、たとえば、フィルタウィンドウのボタンを切り換えることによってオンオフすることができる。ユーザが簡単に強調画像と原画像を比較できるように原画像と強調画像とを切り換える際、画像表示パラメータは変更されないままである。
【００３７】
その他の実施形態
上述の実施形態は、本発明を限定するものではなく説明するものである。上記の説明を読み自明な実施の形態は、本発明の範囲に含まれる。
【図面の簡単な説明】
【００３８】
【図１】ＣＴスキャナと、スキャナからの画像データを処理し、ユーザインタフェースを動作させる遠隔コンピュータとを示す概略図である。
【図２】本発明の実施形態のユーザインタフェースの動作の主要な方法ステップを示すフローチャートである。
【図３】球度強調フィルタが適用された、ユーザインタフェースのスクリーンショット図である。
【図４】球度強調フィルタが選択された、ユーザインタフェースのフィルタウィンドウを示す図である。
【図５】エッジ強調フィルタが適用された、ユーザインタフェースのスクリーンショット図である。
【図６】標準ノイズ除去フィルタが選択されたフィルタウィンドウを示す図である。
【図７】高度ノイズ除去フィルタが選択されたフィルタウィンドウを示す図である。
【図８】大腸スキャン画像で使用するための第２の実施形態のユーザインタフェースのスクリーンショット図である。
【図１】
2008512161.tif 000003
【図２】
2008512161.tif 000004
【図３】
2008512161.tif 000005
【図４】
2008512161.tif 000006
【図５】
2008512161.tif 000007
【図６】
2008512161.tif 000008
【図７】
2008512161.tif 000009
【図８】
2008512161.tif 000010
【手続補正書】
【提出日】平成19年5月9日(2007.5.9)
【手続補正１】
【補正対象書類名】明細書
【補正対象項目名】００１７
【補正方法】変更
【補正の内容】
【００１７】
ユーザインタフェースフローチャート
本発明の実施形態でソフトウェアにより実行される、ユーザインタフェースの動作方法のフローチャートを図２に示す。原スキャン画像は入力として提供され（Ｓ１）、強調スキャン画像を生成するように処理される（Ｓ２）。原スキャン画像および強調スキャン画像は、強調のために使用されるパラメータ値の表示と共に、並んでまたは交互に表示される（Ｓ３）。パラメータ値の調整のためにユーザ入力を受付ければ（Ｓ４）、パラメータ値が調整され（Ｓ５）、調整されたパラメータを使用して強調スキャン画像が再び生成される（Ｓ２）。
【手続補正２】
【補正対象書類名】明細書
【補正対象項目名】００２４
【補正方法】変更
【補正の内容】
【００２４】
ユーザインタフェースウィンドウは、ユーザが選択可能な各種オプションを表示する右手ツールバー１４を含む。右手ツールバー１４が有する「表示」オプションによって、ユーザは１、２、４枚など何枚のパネルを表示するか、あるいは、どのパネルを別個のウィンドウとして表示するかを制御することができる。この例では、スキャン画像を表示するのに２つのみのパネルが使用され、第３および第４のパネル１００、１０２にはデータ表示機能と３Ｄ結節表示機能がそれぞれ割り当てられている。
【手続補正３】
【補正対象書類名】明細書
【補正対象項目名】００２５
【補正方法】変更
【補正の内容】
【００２５】
フィルタの種類とパラメータは、図４により詳細に示されるフィルタウィンドウ１６を用いてユーザによって制御される。この例では、ユーザは、該当タブを選択することにより球度強調フィルタ、エッジ強調フィルタ、標準ノイズ除去フィルタ、高度ノイズ除去フィルタのうち１つを選択できる。その後、ユーザはフィルタのパラメータ値を設定し、フィルタを適用するためのボタンをクリックして強調画像を更新する。
【手続補正４】
【補正対象書類名】明細書
【補正対象項目名】００３５
【補正方法】変更
【補正の内容】
【００３５】
この例では、第３および第４のパネル１００、１０２が、第２の原画像パネル４２および第２の強調画像パネル４４を備え、スキャン画像の仰向けの軸方向の映像を表示する一方、原画像パネル１０と強調画像パネル１２はうつ伏せの軸方向の映像を表示する。第２の原画像パネル４２および第２の強調画像パネル４４表示の操作は、１つのパネル内で行われる変更が別のパネルに反響するようにリンクされる。
【手続補正５】
【補正対象書類名】図面
【補正対象項目名】図５
【補正方法】変更
【補正の内容】
【図５】
2008512161.tif 000011
【手続補正６】
【補正対象書類名】図面
【補正対象項目名】図８
【補正方法】変更
【補正の内容】
【図８】
2008512161.tif 000012
【国際調査報告】
2008512161.tif 000013
2008512161.tif 000014